(57)【要約】【課題】  本発明は車載機器において、使い勝手を良くすることを目的とするものである。【解決手段】  そして、この目的を達成するために本発明は、複数の携帯機器１７、１８、１９と選択的に交信可能なワイヤレス交信部７と、このワイヤレス交信部７に接続された制御部５とを備え、前記制御部５は、予め設定した優先的接続情報に基づき、前記ワイヤレス交信部７において交信した複数の携帯機器１７、１８、１９の内から、前記ワイヤレス交信部７に対して優先的に接続する携帯機器１７、または１８、または１９を選出するとともに、この優先的に接続された携帯機器１７、または１８、または１９から出力される信号を再生する構成とした。【選択図】図２
2012134793.tif 000002
【特許請求の範囲】
【請求項１】
複数の携帯機器と選択的に交信可能なワイヤレス交信部と、このワイヤレス交信部に接続された制御部とを備え、前記制御部は、予め設定した優先的接続情報に基づき、前記ワイヤレス交信部において交信した複数の携帯機器の内から、前記ワイヤレス交信部に対して優先的に接続する携帯機器を選出するとともに、この優先的に接続された携帯機器から出力される信号を再生する構成とした車載機器。
【請求項２】
制御部には、優先的接続情報を入力する入力部を接続した請求項１に記載の車載機器。
【請求項３】
優先的接続情報として、前回の最終使用者、走行距離、ワイヤレス交信部との交信時間の少なくとも、一つを設定した請求項１または２に記載の車載機器。
【発明の詳細な説明】
【技術分野】
【０００１】
本発明は、ワイヤレス交信部において携帯機器と交信することで、この携帯機器からの出力を制御部から例えば車内のスピーカへと出力する車載機器に関するものである。
【背景技術】
【０００２】
従来のこの種、車載機器の構成は以下のようになっていた。
【０００３】
すなわち、複数の携帯機器と選択的に交信可能なワイヤレス交信部と、このワイヤレス交信部に接続された制御部とを備え、前記制御部により、そのワイヤレス交信部に一つの携帯機器を選択接続すると、その携帯機器の出力を前回接続状態にするものであった。
【０００４】
例えば、選択接続された携帯機器において、Ａさんの歌が再生されていたときには、再びＡさんの歌を再生するようにしていた（例えば、下記特許文献１）。
【先行技術文献】
【特許文献】
【０００５】
【特許文献１】特開２０１０−２１２７７５号公報
【発明の概要】
【発明が解決しようとする課題】
【０００６】
上記従来例の車載機器では、複数人が車両内に同乗した状態でも、先ず初めにワイヤレス交信部に選択接続された携帯機器の出力が前回接続状態にされるようになっており、この状態では、使い勝手の悪いものとなる。
【０００７】
具体的には、例えば家族でドライブをする場合には、運転者（例えば父親）の好みに合わせた歌などが再生されることも多いのではあるが、車内に最初に乗り込んだ家族（例えば子供）の携帯機器がワイヤレス交信部に選択接続され、その結果として、子供の携帯機器からの歌が再生されるようになる。
【０００８】
このため、このときに、父親の携帯機器からの歌が再生されるように再設定しなければならず、使い勝手の悪いもののであった。
【０００９】
そこで、本発明は、使い勝手を良くすることを目的とするものである。
【課題を解決するための手段】
【００１０】
そして、この目的を達成するために本発明は、複数の携帯機器と選択的に交信可能なワイヤレス交信部と、このワイヤレス交信部に接続された制御部とを備え、前記制御部は、予め設定した優先的接続情報に基づき、前記ワイヤレス交信部において交信した複数の携帯機器の内から、前記ワイヤレス交信部に対して優先的に接続する携帯機器を選出するとともに、この優先的に接続された携帯機器から出力される信号を再生する構成と、これにより所期の目的を達成するものである。
【発明の効果】
【００１１】
以上のように本発明は、複数の携帯機器と選択的に交信可能なワイヤレス交信部と、このワイヤレス交信部に接続された制御部とを備え、前記制御部は、予め設定した優先的接続情報に基づき、前記ワイヤレス交信部において交信した複数の携帯機器の内から、前記ワイヤレス交信部に対して優先的に接続する携帯機器を選出するとともに、この優先的に
接続された携帯機器から出力される信号を再生する構成としたものであるので、使い勝手を良くすることができる。
【００１２】
すなわち、例えば家族で予め優先的接続情報を設定しておけば、例えばドライブをする場合でも、その優先的接続情報に合致する人物（例えば父親）の携帯機器が再生されることなるので、再設定の手間がかからず、使い勝手の良いものになるのである。
【図面の簡単な説明】
【００１３】
【図１】本発明の一実施形態にかかる車載機器を搭載した自動車を模式的に示した図
【図２】同制御ブロック図
【図３】同制御フローチャート
【図４】同制御フローチャート
【図５】同制御フローチャート
【図６】同制御フローチャート
【発明を実施するための形態】
【００１４】
以下、本発明の一実施形態を、図面を用いて説明する。
【００１５】
（実施の形態１）
図１において、自動車の本体１の車内２の前方には、ハンドル３が配置され、またハンドル３の左方には、車載機器４が配置されている。
【００１６】
車載機器４は図２に示すように、制御部５と、この制御部５に接続された再生部６、ワイヤレス交信部７により構成されている。また、制御部５にはスピーカ８が接続されている。
【００１７】
なお、再生部６はラジオ受信部９、ＴＶ受信部１０、ＣＤ／ＤＶＤ再生部１１、外部メモリ再生部１２とを備えている。
【００１８】
さらに、制御部５は、図３以降に示したプログラムなどが収納された内部メモリ１３、ラジオ受信部９、ＴＶ受信部１０、ＣＤ／ＤＶＤ再生部１１、外部メモリ再生部１２の選択動作を行わせるモード制御部１４、時間計測部１５、キー／表示制御部１６などを設けている。
【００１９】
以上の構成において、本実施形態では、図１に示すごとく、家族でドライブをする状況において車内２には、父親用の携帯機器１７、母親用の携帯機器１８、子供用の携帯機器１９が存在する状態を例に説明を行う。
【００２０】
ず、制御部５はユーザ検出処理（図３のＳ１）から開始する。
【００２１】
このときには、制御部５はワイヤレス交信部７により、父親用の携帯機器１７、母親用の携帯機器１８、子供用の携帯機器１９に対して選択的に、その接続認証済み確認を行う（図３のＳ２、Ｓ３）。
【００２２】
この例では、父親用の携帯機器１７、母親用の携帯機器１８、子供用の携帯機器１９の何れも接続認証済みであったので、続いて、制御部５はワイヤレス交信部７により、父親用の携帯機器１７、母親用の携帯機器１８、子供用の携帯機器１９に対して選択的に、その使用状態を確認する（図３のＳ４）。
【００２３】
たとえば、この使用状況とは、例えば、父親用の携帯機器１７、母親用の携帯機器１８
、子供用の携帯機器１９で、音楽が再生状態であるか否かを確認する（図３、図４のＳ５）。
【００２４】
この例では、父親用の携帯機器１７、母親用の携帯機器１８、子供用の携帯機器１９の何れも音楽の再生状態であったので、続いて、制御部５はワイヤレス交信部７により、父親用の携帯機器１７、母親用の携帯機器１８、子供用の携帯機器１９に対して、何れの出力を優先的に選択し、スピーカ８に出力するべきかを判断する。
【００２５】
図４は前記制御部５により、予め設定した優先的接続情報に基づき、前記ワイヤレス交信部７において交信した複数の携帯機器１７、１８、１９の内から、前記ワイヤレス交信部７に対して優先的に接続する携帯機器（１７、または１８、または１９）を選出する状態を示すものである。
【００２６】
本実施形態においては、前回の運転時に、スピーカ８に出力していた携帯機器（例えば父親用の携帯機器１７）を（優先順位１）とする（図４のＳ６）。
【００２７】
また、走行距離が長い状態で接続されていた携帯機器（例えば母親用の携帯機器１８）を（優先順位２）とする（図４のＳ７）。
【００２８】
なお、走行距離が長い状態とは、例えば自動車の走行距離メータ（図２の２０）からの情報、あるいはカーナビゲーション（図２の２１）からの情報から得る。
【００２９】
また、使用時間が長い状態で接続されていた携帯機器（例えば子供用の携帯機器１９）を（優先順位３）とする（図４のＳ８）。
【００３０】
以上の優先順位を考慮し、前記制御部５は父親用の携帯機器１７を、前記ワイヤレス交信部７に対して優先的に接続する（図３のＳ９）。
【００３１】
続いて、前記制御部５は、父親用の携帯機器１７を、前記ワイヤレス交信部７に対して優先的に接続された父親用の携帯機器１７の前回使用状態を確認する（図３、図５のＳ１０）。
【００３２】
この前回使用状態確認は、図２に示した内部メモリ１３に残っているので、この内部メモリ１３の情報を読み出すことによって行われる（図５のＳ１１）。
【００３３】
このとき、内部メモリ１３に残っている情報が父親用の携帯機器１７であるか否かの確認（図５のＳ１２）も、行われる。
【００３４】
続いて、前記制御部５は、前記ワイヤレス交信部７により、父親用の携帯機器１７に対して、前回再生時の最後尾部分を読みだす（図５のＳ１３）。
【００３５】
続いて、前記制御部５は、前記ワイヤレス交信部７により、父親用の携帯機器１７から読み出した音楽のタイトルなどを、カーナビゲーション２１に表示させる（図５のＳ１４）。
【００３６】
このとき、カーナビゲーション２１で地図情報が表示されている場合には、前記音楽のタイトルなどは表示されない。
【００３７】
以上の状態になると、前記制御部５は、前記ワイヤレス交信部７に対して優先的に接続された父親用の携帯機器１７の前回視聴部分から再生を行い、スピーカ８から音声を出力
させる（図３のＳ１５）。
【００３８】
図６は、走行距離が長い状態（優先順位２）や、使用時間が長い状態（優先順位３）を検出するためのフローを示している。
【００３９】
すなわち、これらのことは、上述した例では例えば自動車の走行距離メータ（図２の２０）からの情報、あるいはカーナビゲーション（図２の２１）からの情報から行うようにしているが、この図６のようにしても行える。
【００４０】
制御部５は、自動車のエンジンがかけられるたびに、電源の状態を検出する（図６の１６）。
【００４１】
そして、制御部５は、その都度父親用の携帯機器１７、母親用の携帯機器１８、子供用の携帯機器１９が、ワイヤレス交信部７に接続されているか、否かを検出する（図６のＳ１７）。
【００４２】
続いて、制御部５は、車速パルスから走行距離を計算（図６のＳ１８）し、また時間計測部１５により測定した時間を累積状態とし、累積時間計算（図６のＳ１９）を計算する。
【００４３】
そして、電源が切れたときに、上記走行距離の累積と、累積時間を内部メモリ１３に記憶させる（図６のＳ２０）。
そして、このようにして得た、走行距離の累積と、累積時間を優先順位付けに活用する。
【産業上の利用可能性】
【００４４】
以上のように本発明は、複数の携帯機器と選択的に交信可能なワイヤレス交信部と、このワイヤレス交信部に接続された制御部とを備え、前記制御部は、予め設定した優先的接続情報に基づき、前記ワイヤレス交信部において交信した複数の携帯機器の内から、前記ワイヤレス交信部に対して優先的に接続する携帯機器を選出するとともに、この優先的に接続された携帯機器から出力される信号を再生する構成としたものであるので、使い勝手を良くすることができる。
【００４５】
すなわち、例えば家族で予め優先的接続情報を設定しておけば、例えばドライブをする場合でも、その優先的接続情報に合致する人物（例えば父親）の携帯機器が再生されることなるので、再設定の手間がかからず、使い勝手の良いものになるのである。
【００４６】
したがって、車載機器としての活用が期待されるものとなる。
【符号の説明】
【００４７】
１  本体
２  車内
３  ハンドル
４  車載機器
５  制御部
６  再生部
７  ワイヤレス交信部
８  スピーカ
９  ラジオ受信部
１０  ＴＶ受信部
１１  ＣＤ／ＤＶＤ再生部
１２  外部メモリ再生部
１３  内部メモリ
１４  モード制御部
１５  時間計測部
１６  キー／表示制御部
１７  父親用の携帯機器
１８  母親用の携帯機器
１９  子供用の携帯機器
２０  走行距離メータ
２１  カーナビゲーション
【図１】
2012134793.tif 000003
【図２】
2012134793.tif 000004
【図３】
2012134793.tif 000005
【図４】
2012134793.tif 000006
【図５】
2012134793.tif 000007
【図６】
2012134793.tif 000008